(57)【要約】      （修正有）【課題】一元接触点位置検出の静電容量式タッチスクリーン／タッチパネルを提供する。【解決手段】基材１０、金属層２０、タッチ制御ＩＣ３０が備わり、基材の上には単層的ＩＴＯ回路６０が設けられ、ＩＴＯ回路の各ＩＴＯ配線は設定静電容量値が設けられ、相互に交差するように配置され、電気的に接続されない図形に設けられる。ＩＴＯ配線で形成されている図形はＷ形、長方形、卍形、三角形、正方形、波形または三角形であるが、その中の一つのアングルがカーブになった不規則図形、または梯形に設けられており、該基材はガラスまたはフィルムであることを特徴とする。静電容量式タッチスクリーン／タッチパネルを、単層ＩＴＯ回路による位置検出構造にしたことで、製造材料が大幅に削減可能、製造工程が簡単化するようになり、製造コストが大きく削減できる。【選択図】図１
0003192816.tif 000002
【実用新案登録請求の範囲】
【請求項１】
基材、金属層、タッチ制御ＩＣが備わり、該基材の上には単層的ＩＴＯ回路が設けられ、ＩＴＯ回路の各ＩＴＯ配線は設定静電容量値が設けられ、相互に交差するように配置されているが、電気的に接続されない図形に設けられていることを特徴とする一元接触点位置検出の静電容量式タッチスクリーン／タッチパネル。
【請求項２】
前記ＩＴＯ配線で形成されている図形はＷ形、長方形、卍形、三角形、正方形、波形または三角形であるが、その中の一つのアングルがカーブになった不規則図形、または梯形に設けられていることを特徴とする請求項１に記載の一元接触点位置検出の静電容量式タッチスクリーン／タッチパネル。
【請求項３】
前記基材はガラス或フィルムであることを特徴とする請求項２に記載の一元接触点位置検出の静電容量式タッチスクリーン／タッチパネル。
【請求項４】
前記各ＩＴＯ配線は複数で、相互に交差するように配置されるが、電気的に接続されないＷ形の図形に設けられていることを特徴とする請求項２に記載の一元接触点位置検出の静電容量式タッチスクリーン／タッチパネル。
【請求項５】
前記各ＩＴＯ配線は複数で、相互に交差するように配置されるが、電気的に接続されない長方形の図形に設けられていることを特徴とする請求項２に記載の一元接触点位置検出の静電容量式タッチスクリーン／タッチパネル。
【請求項６】
前記各ＩＴＯ配線は複数で、相互に交差するように配置されるが、電気的に接続されない卍形の図形に設けられていることを特徴とする請求項２に記載の一元接触点位置検出の静電容量式タッチスクリーン／タッチパネル。
【請求項７】
前記各ＩＴＯ配線は複数で、相互に交差するように配置されるが、電気的に接続されない三角形の図形に設けられていることを特徴とする請求項２に記載の一元接触点位置検出の静電容量式タッチスクリーン／タッチパネル。
【請求項８】
前記各ＩＴＯ配線は複数で、相互に交差するように配置されるが、電気的に接続されない正方形の図形に設けられていることを特徴とする請求項２に記載の一元接触点位置検出の静電容量式タッチスクリーン／タッチパネル。
【請求項９】
前記各ＩＴＯ配線は複数で、相互に交差するように配置されるが、電気的に接続されない波形の図形に設けられていることを特徴とする請求項２に記載の一元接触点位置検出の静電容量式タッチスクリーン／タッチパネル。
【請求項１０】
各ＩＴＯ配線は複数で、相互に交差するように配置されるが、電気的に接続されない三角形であるが、その中の一つのアングルがカーブになった不規則図形、または梯形に設けられていることを特徴とする請求項２に記載の一元接触点位置検出の静電容量式タッチスクリーン／タッチパネル。
【請求項１１】
前記静電容量式タッチスクリーンは、スマートフォンまたは他の携帯用電子機器に用いられることを特徴とする請求項１に記載の一元接触点位置検出の静電容量式タッチスクリーン／タッチパネル。
【考案の詳細な説明】
【技術分野】
【０００１】
本考案は静電容量式タッチスクリーン／タッチパネルの技術分野に関わり、特に、一元接触点位置検出の静電容量式タッチスクリーン／タッチパネルに関する。
【背景技術】
【０００２】
静電容量式タッチスクリーン／タッチパネルは、人体に電流が流れていることを理由して稼動されることになっており、従来の静電容量式タッチスクリーン／タッチパネルは、基材にＸ／Ｙ軸の上下二層ＩＴＯ（透明導電材料）回路が設けられ、原理として、上下二層ＸＹ軸にある接触点の静電容量の変化値を測定し、タッチ制御ＩＣに処理されたあと、指の触ったＸＹ軸方向にあるぞれぞれの位置が確定されたうえ、タッチスクリーン／タッチパネルにある指の接触点に当たる点座標が求められることになる。
【０００３】
従来の静電容量式タッチスクリーン／タッチパネルでは、Ｘ／Ｙ軸の上下二層ＩＴＯ（透明導電材料）回路を設ける必要があり、製造工程が多く、製造コストが高く、大量に応用されている電気抵抗式タッチスクリーン／タッチパネルより値段が高いことで、静電容量式タッチスクリーン／タッチパネルの応用を大きく広げるのに不利である。
【考案の概要】
【考案が解決しようとする課題】
【０００４】
本考案は、従来の既存技術の不十分なところについて、製造工程が少なく、製造コストが低いという特色を有する一次元接触点位置検出の静電容量式タッチスクリーン／タッチパネルを提供することを目的とする。
【課題を解決するための手段】
【０００５】
上述の目的を達成させるため、本考案は、基材、金属層、タッチ制御ＩＣが備わり、該基材の上には、単層のＩＴＯ回路が設けられ、ＩＴＯ回路の各ＩＴＯ配線は設定静電容量値が設けられ、相互に交差するように配置されているが、電気的に接続されない図形に設けられていることを特徴とする一次元接触点位置検出の静電容量式タッチスクリーン／タッチパネルを提供する。
【０００６】
該ＩＴＯ配線で形成されている図形はＷ形、長方形、卍形、三角形、正方形、波形または三角形であるが、その中の一つのアングルがカーブになった不規則図形、または梯形に設けられていることを特徴とする。
【０００７】
該基材は、ガラスまたはフィルムであることを特徴とする。
【考案の効果】
【０００８】
本考案は、静電容量式タッチスクリーン／タッチパネルを、従来の二層ＩＴＯ回路による位置検出構造を単層ＩＴＯ回路による位置検出構造にしたことで、製造材料が大幅に削減可能、製造工程が簡単化するようになり、静電容量式タッチスクリーン／タッチパネルの製造コストが大きく削減でき、静電容量式タッチスクリーン／タッチパネルの応用を大きく広げるのに有利な効果がある。
【図面の簡単な説明】
【０００９】
【図１】本考案の静電容量式タッチスクリーンの分解イメージ図である。
【図２】本考案の静電容量式タッチスクリーンのＩＴＯ回路イメージ図１である。
【図３】本考案の静電容量式タッチスクリーンのＩＴＯ回路イメージ図２である。
【図４】本考案の静電容量式タッチスクリーンのＩＴＯ回路イメージ図３である。
【図５】本考案の静電容量式タッチスクリーンのＩＴＯ回路イメージ図４である。
【図６】本考案の静電容量式タッチスクリーンのＩＴＯ回路イメージ図５である。
【図７】本考案の静電容量式タッチスクリーンのＩＴＯ回路イメージ図６である。
【考案を実施するための形態】
【００１０】
次は、本考案の好適な実施例の説明のみに用いられ、それを以って、本考案の請求範囲を制限されないものとする。本考案は、基材の上には単層のＩＴＯ回路が設けられ、ＩＴＯ回路の各ＩＴＯ配線は設定静電容値が設けられ、相互に交差するように配置されているが、電気的に接続されない図形に設けられていることを特徴とする一元接触点位置検出の静電容量式タッチスクリーン／タッチパネルであり、そこに指で触ると、タッチ制御ＩＣが指の触った複数のＩＴＯ配線にある静電容量の変化値を測定するが、まず、Ｙ軸方向にある接触点の位置が確認されたうえ、各静電容値の占める、指の触った時に確認された総静電容量の割合により、Ｘ軸方向にある接触点の位置が確認されることになる。
【００１１】
図１に示すのは、本考案の一元接触点位置検出の静電容量式タッチスクリーンであり、該タッチスクリーンは基材（１０）、金属層（２０）、タッチ制御ＩＣ（３０）及び光学透明接着剤（ＯＣＡ）（４０）、ガラススクリーン（５０）が備わり、該基材（１０）はガラス（ＧＬＡＳＳ）またはフィルム（ＦＩＬＭ）であり、その上には単層のＩＴＯ回路（６０）が設けられ、該ＩＴＯ回路（６０）の各ＩＴＯ配線は設定静電容量値が設けられ、相互に交差するように配置されているが、電気的に接続されない図形に設けられている。
【００１２】
続いて、図２〜図７を見るが、図２に示すように、該各ＩＴＯ配線は複数で、相互に交差するように配置されるが、電気的に接続されないＷ形の図形（Ａ１〜Ａ４とＢ１〜Ｂ４）、図３に示すように、ＩＴＯ配線は複数で、相互に交差するように配置されるが、電気的に接続されない長方形の図形（Ａ１〜Ａ４とＢ１〜Ｂ４）、図４に示すように、ＩＴＯ配線は複数で、相互に交差するように配置されるが、電気的に接続されない三角形の図形（Ａ１〜Ａ４、及びＢ１〜Ｂ４，Ｃ１〜Ｃ４，Ｄ１〜Ｄ４）、図５に示すように、ＩＴＯ配線は複数で、相互に交差するように配置されるが、電気的に接続されない卍形の図形、図６に示すように、ＩＴＯ配線は複数で、相互に交差するように配置されるが、電気的に接続されない正方形の図形、図７に示すように、ＩＴＯ配線は複数で、相互に交差するように配置されるが、電気的に接続されない波形の図形に設けられている。
【００１３】
指で触ったとき、ＩＴＯ回路に通常、３本から６本までの指が検出されることになり、指の接触点の中心線から、二本のＩＴＯ配線を通じて、接触点の重心が確認されるという動作原理を説明するが、指で触ると、まず、Ｙ軸方向にある接触点の位置が確認されるが、それは、タッチ制御ＩＣ（３０）で二本のＩＴＯ配線にある静電容量変化から確認されること、Ｙ軸方向にある位置が確認されたうえ、この二本のＩＴＯ配線を通じて、Ｘ軸方向にある接触点の位置が確認されるが、そこで、仮に手が触ると、二本のＩＴＯ配線からの総静電容量値ＣＡ＋Ｂにするが、この二本のどこに触っても、その静電容量ＣＡ＋Ｂは常に固定値になっており、指の触ったＸ軸方向にある二本のＩＴＯ配線の位置により、二本のＩＴＯ配線の静電容量値ＣＡ，ＣＢ，が変化することになり、タッチ制御ＩＣ（３０）で、二本のＩＴＯ配線の静電容量値の占める総静電容量値ＣＡ＋Ｂの割合により、指の触ったＸ軸方向にある接触点の重心位置が確認され、そのように、指の触ったＸＹ軸方向にある位置が確認されたうえ、ＸＹ軸方向の接触点に当る座標が求められることになる。
【００１４】
それに、該各ＩＴＯ配線は更に、複数で、相互に交差するように配置されるが、電気的に接続されない三角形であるが、その中の一つのアングルがカーブになった不規則図形、または梯形に設けられる。
【００１５】
なお、説明すべきことは、本考案は原理として、全ての静電容量方式の位置検出に適用するもので、今日のスマートフォンまたは他の携帯用電子機器に用いられる。
【符号の説明】
【００１６】
１０            基材
２０            金属層
３０            タッチ制御ＩＣ
４０            光学透明接着剤  （ＯＣＡ）
５０            ガラススクリーン
６０            ＩＴＯ回路
【図１】
0003192816.tif 000003
【図２】
0003192816.tif 000004
【図３】
0003192816.tif 000005
【図４】
0003192816.tif 000006
【図５】
0003192816.tif 000007
【図６】
0003192816.tif 000008
【図７】
0003192816.tif 000009